(57)【要約】      （修正有）【課題】被測定者の体液が他の被測定者には付着することの無い生体情報測定装置を提供する。【解決手段】センサ装着部１を有する本体２と、この本体２の前記センサ装着部１を着脱自在に覆った保護キャップ３とを備え、この保護キャップ３は、バイオセンサ４を前記センサ装着部１に挿入させるセンサ挿入口５と、このセンサ挿入口５に挿入された前記バイオセンサ４を前記センサ装着部１の方向へ案内する壁部とを有する。さらに保護キャップ３は、センサ挿入口５に挿入された状態のバイオセンサ４を保持可能なセンサ保持部６を有する。【選択図】図１
2011141269.tif 000002
【特許請求の範囲】
【請求項１】
センサ装着部を有する本体と、
この本体の前記センサ装着部と、少なくとも前記センサ装着部が設けられた面の前記本体の壁面全体とを着脱自在に覆った保護キャップとを備え、
この保護キャップは、
バイオセンサを前記センサ装着部に挿入させるセンサ挿入口と、
このセンサ挿入口に挿入された前記バイオセンサを前記センサ装着部の方向へ案内する壁部とを有する生体情報測定装置。
【請求項２】
保護キャップは、センサ挿入口に挿入された状態のバイオセンサを保持可能なセンサ保持部を有する請求項１に記載の生体情報測定装置。
【請求項３】
保護キャップを可撓性材料により構成し、この保護キャップの、バイオセンサに対向する両面をセンサ保持部とした請求項２に記載の生体情報測定装置。
【請求項４】
センサ保持部は、バイオセンサと接触する部分にパッドを備えた請求項２または３に記載の生体情報測定装置。
【請求項５】
保護キャップのセンサ挿入口から前記保護キャップの前記センサ挿入口と反対側の端部までの長さは、バイオセンサがセンサ保持部に保持された時の前記センサ保持部から前記バイオセンサの先端までの長さより長く、前記バイオセンサが前記センサ保持部に保持された時の本体の前記センサ保持部と反対側の端部から前記バイオセンサの先端までの長さよりも短い請求項２から４のいずれか一項に記載の生体情報測定装置。
【請求項６】
保護キャップは、
センサ挿入口と反対側開口部の側面に設けた切り欠きと、
この切り欠きの近傍に係合凹部を有し、
この係合凹部と係合する係合凸部を本体に備えた請求項１から５のいずれか一項に記載の生体情報測定装置。
【請求項７】
センサ装着部周辺の本体壁面の一部が周囲よりも低く形成されている請求項１から６のいずれか一項に記載の生体情報測定装置。
【請求項８】
センサ装着部は、本体の端部において周囲よりも前方に突き出て形成されている請求項１から７のいずれか一項に記載の生体情報測定装置。
【請求項９】
壁部は、センサ挿入口からセンサ装着部へ向けて突き出して形成されている請求項１から８のいずれか一項に記載の生体情報測定装置。
【請求項１０】
壁部は、センサ挿入口から突き出して形成された端部に向けて傾斜を有し、
前記端部の開口径は、前記センサ挿入口の開口径よりも小さくした請求項９に記載の生体情報測定装置。
【請求項１１】
壁部の表面に疎水性処理を施してある請求項１から１０のいずれか一項に記載の生体情報測定装置。
【発明の詳細な説明】
【技術分野】
【０００１】
本発明は、バイオセンサにより生体情報（例えば血糖値）を測定する生体情報測定装置に関する。
【背景技術】
【０００２】
医療施設においては、複数の被測定者に対して日常的に検査を行っている。その様な日常的な検査に用いる生体情報測定装置として、バイオセンサを着脱自在に装着可能なセンサ装着部を本体に備え、このセンサ装着部に装着したバイオセンサの先端に被測定者の体液を点着して被測定者の生体情報を測定するものが開示されている（例えば、特許文献１参照）。
【先行技術文献】
【特許文献】
【０００３】
【特許文献１】特表２００２−５２１６９２号公報
【発明の概要】
【発明が解決しようとする課題】
【０００４】
従来の構成では、センサ装着部及びその周辺の本体側面に被測定者の体液が誤って付着した場合に、他の被測定者にその体液が付着してしまう可能性があるという課題があった。即ち、測定のために体液を点着させるバイオセンサは被測定者毎に交換するが、露出したセンサ装着部及び本体側面は交換することが出来ないため、それらに体液が付着してしまった場合には、他の被測定者に付着してしまう可能性がある。
【０００５】
そこで本発明は、本体に付着した被測定者の体液が他の被測定者には付着することの無い生体情報測定装置を提供することを目的とする。
【課題を解決するための手段】
【０００６】
そしてこの目的を達成するために、本発明の生体情報測定装置は、センサ装着部を有する本体と、この本体の前記センサ装着部と、少なくとも前記センサ装着部が設けられた面の前記本体の壁面全体とを着脱自在に覆った保護キャップとを備え、この保護キャップは、バイオセンサを前記センサ装着部に挿入させるセンサ挿入口と、このセンサ挿入口に挿入された前記バイオセンサを前記センサ装着部の方向へ案内する壁部とを有する事を特徴とするものである。
【発明の効果】
【０００７】
以上のように本発明の生体情報測定装置によれば、センサ装着部を有する本体と、この本体の前記センサ装着部と、少なくとも前記センサ装着部が設けられた面の前記本体の壁面全体とを着脱自在に覆った保護キャップとを備え、この保護キャップは、バイオセンサを前記センサ装着部に挿入させるセンサ挿入口と、このセンサ挿入口に挿入された前記バイオセンサを前記センサ装着部の方向へ案内する壁部とを有するようにしたので、被測定者の体液が付着し得る範囲を保護キャップで覆い、この保護キャップを交換することで他の被測定者に体液が付着しないように出来る。さらに保護キャップは、センサ挿入口に挿入された状態のバイオセンサを保持可能なセンサ保持部を有するようにしたので、保護キャップを交換する時にセンサ保持部でバイオセンサを保持して一緒に取り外すことが出来るため、作業効率を高めることも出来る。
【図面の簡単な説明】
【０００８】
【図１】本発明の実施の形態における生体情報測定装置を示す図
【図２】センサ装着部１付近と保護キャップ３を示す図
【図３】保護キャップ３の形状を説明する図
【図４】本体２に保護キャップ３とバイオセンサ４を装着する様子を示す図
【図５】保護キャップ３とバイオセンサ４の関係を示す図
【図６】保護キャップ３の作用を説明する図
【図７】本体２のセンサ装着部１周辺の形状を説明する図
【図８】保護キャップ３及びバイオセンサ４を取り外す様子を示す図
【発明を実施するための形態】
【０００９】
以下に、本発明の生体情報測定装置の実施の形態を図面とともに詳細に説明する。
【００１０】
（実施の形態）
図１は、本実施の形態における生体情報測定装置の構成を示す図であり、図１（ａ）は複数の保護キャップと本体を別々に配置し、図１（ｂ）は本体に保護キャップとバイオセンサを装着した様子を示す図である。なお、以下ではバイオセンサに被測定者の血液を点着して血糖値を測定する装置を例に説明を行うが、これに限らず、バイオセンサに被測定者の体液を点着して生体情報を測定するものであれば、同様に実現可能である。
【００１１】
図１に示すように、本実施の形態の生体情報測定装置は、センサ装着部１を有する本体２と、この本体２の前記センサ装着部１を着脱自在に覆った保護キャップ３とを備え、この保護キャップ３は、バイオセンサ４を前記センサ装着部１に挿入させるセンサ挿入口５と、このセンサ挿入口５に挿入された前記バイオセンサ４を前記センサ装着部１の方向へ案内する壁部１４（図３参照）とを有する。さらに保護キャップ３は、センサ挿入口５に挿入された状態のバイオセンサ４を保持可能なセンサ保持部６を有する。そして、本体２には、測定日時や被測定者の情報等を入力可能な入力部７とこの入力部７で入力された内容や測定結果等を表示する表示部８が備わる。
【００１２】
また、図示していないが、本体２には、本体２の各構成部を駆動するバッテリを内蔵している。そして、本体２には、このバッテリで駆動され、バイオセンサに点着された被測定者の血液から血糖値を測定する血糖値測定部と、この血糖値測定部で測定したデータを記憶するメモリと、このメモリに記憶した測定データを外部機器等と通信して送受信するデータ送受信部が内蔵されている。
【００１３】
ここで、この生体情報測定装置を用いた血糖値測定の概略について説明する。本発明では、医療機関において、スタッフが１台の生体情報測定装置を持って、複数の被測定者を次々と測定することを想定している。これは、病院外来の検査室であったり、入院病棟の病室や１つのフロアーであったりする所で起こり得るような状況である。
【００１４】
まず、スタッフは、本体２に保護キャップ３を取り付ける。次に、保護キャップ３のセンサ挿入口５からバイオセンサ４を差し込んで本体２のセンサ装着部１に装着して、図１（ｂ）に示す如く測定の準備を行う。本体２内の血糖値測定部は、例えば、センサ装着部１にバイオセンサ４が装着されたことを検知して、自動的に測定待機状態となり、バイオセンサ４の先端に血液が点着するのを待つように動作する。
【００１５】
このようにして生体情報測定装置の準備が整ったら、スタッフまたは被測定者自身が被測定者の指先を穿刺器具等で穿刺して、微量の血液を皮膚から搾り出す。そして、被測定者の穿刺した指先をバイオセンサ４の先端に接触させ、搾り出した血液をバイオセンサ４の点着部（図示せず）に点着する。
【００１６】
血糖値測定部は、点着部に血液が点着されたことを検知すると、自動的に血糖値の測定を実施する。測定された血糖値は、メモリに送られて入力部等から入力された被測定者の情報と共に記憶される。同時に、表示部にも送られて、表示される。
【００１７】
スタッフは、表示部を見て血糖値が正常に測定されたことを確認すると、保護キャップ３とバイオセンサ４を本体２から取り外して、廃棄ＢＯＸ等に廃棄する。この時、本実施の形態の生体情報測定装置は、保護キャップ３とバイオセンサ４が一緒に取り外されるように構成されているが、この取り外し時の動作については後で説明する。
【００１８】
その後、スタッフは、次の被測定者を測定するために、再び、本体２に保護キャップ３とバイオセンサ４を装着する。以上が連続して複数の被測定者を測定する概要である。
【００１９】
ここで、被測定者の指先をバイオセンサ４に接触させて血液を点着することに着目する。この生体情報測定装置はスタッフが保持し、被測定者の指先とバイオセンサ４とが接触するように、生体情報測定装置を被測定者の指先に近づける、あるいは、被測定者の指先を生態情報測定装置に近づける。
【００２０】
ところが、上述した状況でスタッフが流れ作業で測定を行っていると、ふとしたはずみで被測定者の指先とバイオセンサ４の相対位置は容易にずれ、被測定者の指先がバイオセンサ４の先端部からずれて生体情報測定装置の本体２に接触してしまうことがある。すると、被測定者の指先は、既に穿刺等により血液を搾り出した後なので、本体２がむき出しの状態であるならば、露出した血液が本体２に付着する可能性がある。
【００２１】
この血液が付着したまま、以降の被測定者に対して測定を続けた場合、同じように被測定者の指先とバイオセンサ４の相対位置がずれて被測定者の指先が本体２の壁面と接触すると、先ほど付着した血液が被測定者に付着してしまう可能性がある。この時、被測定者は穿刺等により皮膚の表面を傷つけた状態であるから、そこから付着した血液が体内に侵入してしまうと非常に危険である。
【００２２】
従って、本実施の形態の生体情報測定装置は、１回の測定ごとに取り替えることの出来る保護キャップ３を備え、この保護キャップ３はセンサ装着部１を含むその周辺の本体２の壁面を覆うようにしている。このようにすることで、例え被測定者の指先が生体情報測定装置に接触しても、血液が付着するのは保護キャップ３上である。そしてこの保護キャップ３は被測定者が変わるたびに取り替えるものであるから、上述した、血液の他の被測定者への付着を防ぐことが出来る。
【００２３】
このような効果を得るためには、保護キャップ３は、被測定者の指先が触れ得る本体２の壁面の範囲を覆うように形成されなければならない。本実施の形態では、図１（ｂ）に示す如く、バイオセンサ４側の側面から見える範囲を覆い、さらにその端部は表示部８近辺まで延長している。
【００２４】
ただし、この覆う範囲は一例であって、必要に応じて変更することは当業者であれば適宜なし得ることである。例えば、表示部８まで覆ったり、入力部７まで覆ったりすることもあり得るし、本体２のバイオセンサ４を装着する側と反対側の端部、即ち、本体２全体を覆ったりしても良い。
【００２５】
最低限、センサ装着部１の周囲の本体２の壁面を覆うことは必要である。また、本体２に保護キャップ３とバイオセンサ４を装着した状態において、少なくともバイオセンサ４の先端にある点着部は、保護キャップ３から外へ露出していなければならない。
【００２６】
次に、本実施の形態の特徴の一つである、保護キャップ３の具体的な構造について、図１から図６を用いてさらに詳細に説明する。図２は、本体２のセンサ装着部１付近を拡大した図と保護キャップ３を示す図である。図３は、保護キャップ３の内側をセンサ挿入口５とは他端の開口部から見た図とその断面図である。図４は、本体２に保護キャップ３とバイオセンサ４を装着する時の様子を表す断面図である。図５は、保護キャップ３のセンサ挿入口５付近の断面拡大図と、バイオセンサ４をセンサ挿入口５に挿入したときの様子を表す図を示している。図６は、保護キャップ３をつまんだ状態を表す図と、その際にセンサ保持部６でバイオセンサ４を挟持した様子を示した図である。
【００２７】
まず、保護キャップ３を可撓性材料により構成し、この保護キャップ３の、バイオセンサ４に対向する両面を上述のセンサ保持部６としている。そしてセンサ保持部６は、図２に示す如くバイオセンサ４と接触する部分にパッド９を備え、バイオセンサ４を挟持した際に滑らないようにしている。保護キャップ３のセンサ保持部６の表面が滑りにくいものであったり、そのような材料を塗布していたりする場合には、図１に示すように、パッド９を設けなくても良い。
【００２８】
あるいは、パッド９の代わりに、バイオセンサ４と接触する部分に数本の溝を形成したり、表面を粗くしたりしてバイオセンサ４が滑らないように加工したものでも良い。
【００２９】
さらに保護キャップ３は、センサ挿入口５と反対側開口部の側面に設けた切り欠き１０ａ、１０ｂと、この切り欠き１０ａ、１０ｂのどちらか一方、あるいは両方の近傍に係合凹部を有し（本実施の形態では切り欠き１０ａ、１０ｂの両方の近傍にそれぞれ設け、これを係合凹部１１ａ、１１ｂとする）、図２に示すようにこの係合凹部と係合する係合凸部（同様に係合凸部１２ａ、１２ｂとする）を本体２に備えた。
【００３０】
なお、保護キャップ３のセンサ保持部６の裏面、即ちセンサ保持部６の反対面に位置する保護キャップ３の外側表面には、スタッフが指を添える際にガイドとなり、かつ、保護キャップ３を外すときに指が滑らないように加工したグリップ１３を設けてある。このグリップ１３は、図示したような複数本の棒状突起物であれば良いが、円形の突起物など、指が滑らないように表面に加工されたものであればどのようなものであっても良い。このようにセンサ保持部６の裏面にグリップ１３を設ければ、スタッフが指を添えた際の力の作用点がセンサ保持部６付近となり、これにより、より確実にバイオセンサ４を保持することが可能となる。
【００３１】
次に、保護キャップ３の先端に設けたセンサ挿入口５について、図３と図４を用いて説明する。図３（ａ）は、保護キャップ３の内側をセンサ挿入口５とは他端の開口部、即ち切り欠き１０ａ、１０ｂの方向から見た図を示している。そして、図３（ｂ）は、図３（ａ）におけるＡ−Ａ断面で切断した断面斜視図を示している。
【００３２】
図３に示す如く、センサ挿入口５から内側に向かって壁部１４が形成されている。この壁部１４の役割は大きく２つある。１つ目は、バイオセンサ４をセンサ挿入口５に挿入した時に、バイオセンサ４の挿入した端部を本体２のセンサ装着部１の方へ導くためのガイド機能である。これは、本体２に保護キャップ３を装着した時に、センサ挿入口５からセンサ装着部１までに間隙がある時に特に有効に作用するものである。
【００３３】
もしバイオセンサ４が、センサ挿入口５とセンサ装着部１とを結ぶ線方向に対して、上下または左右に角度を有する状態でセンサ挿入口５に挿入されると、そのままではセンサ装着部１とはずれた位置に向けてバイオセンサ４が挿入し続けられる。しかし、この壁部１４があることで、挿入されたバイオセンサ４の端部は壁部１４に行く手を阻まれることになる。この壁部１４にバイオセンサ４の端部が接触することで、バイオセンサ４とバイオセンサ４を保持するスタッフの手に抵抗力が生じる。その時に、弾力性のあるバイオセンサ４がたわんで、その端部がセンサ装着部１の方向へ向く。または、スタッフが抵抗を感じてバイオセンサ４を挿入する角度を変えることで、その端部がセンサ装着部１の方向へ向く。このようにして、バイオセンサ４のセンサ装着部１に装着される部分は、センサ装着部１へと導かれる。
【００３４】
この様な作用効果を得るためには、壁部１４はセンサ挿入口５からセンサ装着部１の方向へと延びている必要がある。その長さは、センサ装着部１とセンサ挿入口５の間隙が大きいほど長くした方がより効果がある。あるいは、間隙の大きさにかかわらず、壁部１４とセンサ装着部１とちょうど接触するか、その手前まで延ばした長さとすれば良い。一方、最低限の長さはセンサ挿入口５の開口部の大きさによって規定される。即ち、開口部が大きいほどバイオセンサ４のセンサ挿入口５に対する角度の自由度が大きくなるため、その方向を規制するためには、壁部１４を長くする必要がある。
【００３５】
図４は上述したバイオセンサ４の装着の様子を図示したもので、図４（ａ）はバイオセンサ４をセンサ挿入口５に挿入を始めた状態を示し、図４（ｂ）はバイオセンサ４をセンサ装着部１へ装着完了した状態を示したものである。図４（ａ）に示したように、最初バイオセンサ４がセンサ挿入口５に対して大きな角度を有している場合でも、壁部１４に導かれて、図４（ｂ）に示すようにセンサ装着部１へと装着される。
【００３６】
壁部１４の２つ目の役割は、バイオセンサ４をつたって流れる血液をセンサ装着部１へと到達させないことである。即ち、測定ごとに交換する保護キャップ３で血液をせき止めて、容易に交換が出来ないセンサ装着部１への血液の付着を阻止するものである。例えば、被測定者が指先に大きく傷をつける等して血液が大量に出た場合には、バイオセンサ４に点着した際に、バイオセンサ４先端の点着部に収まりきらず、バイオセンサ４をつたって流れてしまうことがある。
【００３７】
この時、生体情報測定装置を被測定者の指先よりも下部に傾けて位置させていると、先端部からあふれた血液がバイオセンサ４をつたってセンサ装着部１の方へと流れる。この血液が、センサ挿入口５の壁部１４で止まるように壁部１４を形成する。具体的には、図５（ａ）に示すように、壁部１４のセンサ挿入口５とは反対側の端部開口径がバイオセンサ４と略同じかやや大きくなるようにする。センサ挿入口５の開口径は、壁部１４の端部と同じくバイオセンサ４と略同じかやや大きくなるようにしても良いが、図５（ａ）に示すように、バイオセンサ４を受け入れやすいように開口径を大きくした時には、壁部１４はセンサ挿入口５から他端の端部に向けて傾斜（テーパ）を設ける。
【００３８】
この様に壁部１４を構成すれば、図５（ｂ）に示す如く、血液１５の先端は、壁部１４の先端部、あるいはそこに至るまでの途中で表面張力と血液の粘着度により進行が止まり、壁部１４よりも内側のセンサ装着部１方向へは流れない。さらに壁部１４の表面を疎水性の処理を施せば、センサ挿入口５の近辺で、血液がそれ以上は壁部１４の内部へ流れ込まないようにすることも可能である。
【００３９】
図６（ａ）は、図１に示す保護キャップ３の上下両面のグリップ１３に外側から圧力を加えて、途中まで潰した状態を示す図である。これは、スタッフが保護キャップ３の横から片手を沿えて親指と他の指で挟み、親指と他の指でつまんで潰すようにした状態で起こる。図６（ａ）に示すように、保護キャップ３の上下両面のグリップ１３が外側から加圧されると、側面に設けた切り欠き１０ａ、１０ｂが起点となり、保護キャップ３の側面が外側へ折れ曲がる。それによって保護キャップ３の上下両面に位置するセンサ保持部６が内側へとたわむようになる。
【００４０】
この時、切り欠き１０ａ、１０ｂが起点となって保護キャップ３の側面が外側へ折れ曲がることで、切り欠き１０ａ、１０ｂの近傍に設けた係合凹部１１ａ、１１ｂも外側へと移動し、これにより、本体２に設けた係合凸部１２ａ、１２ｂとの係合が外れる。すると、本体２と保護キャップ３とを固定する係合が無くなるため、保護キャップ３は本体２から取外しが自在となる。
【００４１】
なお、保護キャップ３の材料に元の形に戻る弾力性を有するものを含有し、グリップ１３を加圧して保護キャップ３の側面を外側に折り曲げた後でも、グリップ１３への加圧をやめると側面が元の形状に回復し、係合凹部１１ａ、１１ｂが係合凸部１２ａ、１２ｂと係合する位置に復帰して、保護キャップ３を再び本体２に装着可能となるようにしても良い。
【００４２】
図６（ｂ）は、保護キャップ３を取り外した際に、バイオセンサ４をセンサ保持部６に保持した状態を示す図である。理解のために、保護キャップ３を透過して中のバイオセンサ４が見えるように図示してあるが、実際の保護キャップ３の材料に透明、又は半透明のものを採用して、図示のように保護キャップ３内部に位置するバイオセンサ４が透視出来るようにしても良い。
【００４３】
図６（ｂ）に示すように、バイオセンサ４を伴って保護キャップ３を取り外した時には、血液を点着したバイオセンサ４の先端部は、完全に保護キャップ３の内部に位置し、保護キャップ３から露出しているのは、本体２のセンサ装着部１に装着されていた部分とその周辺である。
【００４４】
このようにするために、保護キャップ３の寸法は主にバイオセンサ４の寸法によって決められる。即ち、保護キャップ３とバイオセンサ４を本体２に装着している時には、バイオセンサ４の先端にある点着部は保護キャップ３から露出しており、保護キャップ３とバイオセンサ４を取り外す時には、バイオセンサ４の点着部は保護キャップ３の中に納まる関係を満たせば良い。
【００４５】
図６（ｃ）は上述した寸法を決めるための、本体２、保護キャップ３、バイオセンサ４の位置関係を示した図である。本体２における、保護キャップ３を装着した時の保護キャップ３の開口端位置をＢ−Ｂ面とすると、Ｂ−Ｂ面から保護キャップ３のセンサ挿入口５側の端部までの距離Ｌａは、Ｂ−Ｂ面から本体２のセンサ装着部１側の端部までの距離Ｌｂに、センサ装着部１の端部からバイオセンサ４の先端までの長さＬｃを足したものより短くなければならない。これは、被測定者の血液を点着するために、バイオセンサ４の先端に設けた点着部が露出していなければならないためである。
【００４６】
さらに、Ｂ−Ｂ面から本体２のセンサ装着部１側の端部までの距離Ｌｂは、保護キャップ３のセンサ挿入口５側の端部からバイオセンサ４の先端までの距離Ｌｄより長くなければならない。これは、保護キャップ３を取り外してスライドし、保護キャップ３の開口端付近に設けられたセンサ保持部６がバイオセンサ４を保持した時に、バイオセンサ４の先端が保護キャップ３の中に納まるために必要である。
【００４７】
なお、このＢ−Ｂ面は上述したように、図示した表示部８ではなく、入力部７や表示部８、果ては本体２の端部までを覆う位置に設定しても、これらの距離の条件を満足するものであれば良い。
【００４８】
次に、図７を用いて、本体２のセンサ装着部１付近の形状について説明する。図７（ａ）、（ｂ）、（ｃ）はいずれも、本体２のセンサ装着部１付近を拡大した図である。図７（ａ）は、他の図面と同様に、センサ装着部１上部にガイド部１６を有している。図示していないが、本体２の裏面側の対向する位置にも同様のガイド部１６がある。このガイド部１６は、保護キャップ３を本体２に装着した時のセンサ保持部６とグリップ１３の直下に位置するように形成されている。グリップ１３がスタッフの指によって両側から加圧されると、下方向（本体２側）へ押し下げられるように、ガイド部１６によって、保護キャップ３と本体２の壁面の間に空間が作られている。
【００４９】
スタッフがグリップ１３を両側から加圧すると、ガイド部１６で作られた分だけ保護キャップ３が下方へ押し下げられ、保護キャップ３全体がたわむ。すると、切り欠き１０ａ、１０ｂを起点として保護キャップ３の側面が外側折れ曲がり、係合凹部１１ａ、１１ｂと係合凸部１２ａ、１２ｂの係合が外れ、保護キャップ３が取外し自在となる。このままの状態でスタッフがグリップ１３を前方（センサ装着部１の方向）へスライドして保護キャップ３をずらしていく。この時、ガイド部１６はまた、スタッフの指をスライドする方向へ導くガイドとしても機能する。このガイド部１６は、センサ装着部１の部分まで形成されているので、スライドさせた指がそのままバイオセンサ４を挟み込みやすくなっている。
【００５０】
図７（ｂ）は、ガイド部１６の別の形態を示したもので、裏面にも同様のへこみ部が存在する。図７（ａ）に示したものと異なるのは、本体２からガイド部１６への落ち込みが、段差ではなく、傾斜とした点である。このような形状にすると、上述した図７（ａ）の形状と同じ作用効果を得られるだけでなく、スタッフの指をセンサ装着部１へとより確実に導きやすくなり、バイオセンサ４を挟み込みやすくなる。
【００５１】
図７（ｃ）は、図７（ａ）のガイド部１６の形状に合わせて、さらにセンサ装着部１を前方に突き出した形状である。これにより、ガイド部１６によってセンサ装着部１へと導かれたスタッフの指が、より確実にバイオセンサ４を挟み込みやすくなる。なお、図７（ｂ）のガイド部１６の形状に図７（ｃ）のようなセンサ装着部１の突き出し形状を組み合わせても同様の作用効果を得ることが出来る。
【００５２】
最後に、本実施の形態にかかる生体情報測定装置において、血糖値を測定したのち、保護キャップ３とバイオセンサ４を取り外す様子を、図８を用いて説明する。まず、スタッフは保護キャップ３の横から片手を沿え、親指と他の指で、保護キャップ３の両側に設けられたグリップ１３を挟み込む。そしてグリップ１３を挟み込む指に力を入れ、グリップ１３を本体２側へ押し下げる。すると、係合凹部１１ａ、１１ｂと係合凸部１２ａ、１２ｂの係合が外れ、保護キャップ３が取外し自在となる（図８（ａ））。
【００５３】
そのままの状態で保護キャップ３を前方（センサ装着部１の方向）へスライドさせると、バイオセンサ４はそのままの位置から動かず、保護キャップ３のみがずれていく。これは、バイオセンサ４は、センサ装着部１において電極（図示せず）に挟み込まれており、その力は、バイオセンサ４と保護キャップ３のセンサ挿入口５との間に生じる摩擦力によって発生する、バイオセンサ４をセンサ装着部１から引き抜こうとする力よりも大きいため、よってバイオセンサ４はセンサ装着部１から外れようとしないためである。
【００５４】
そして、図８（ｂ）に示すように保護キャップ３の端部がセンサ装着部１へ達すると、スタッフの指はさらにグリップ１３を押し下げて、センサ保持部６を介してバイオセンサ４を保持することが出来る。これにより、スタッフの指が生じる力が直接バイオセンサ４へと伝わるようになる。そうすると、上述したセンサ装着部１の電極がバイオセンサ４を保持する力よりも大きな力を加えることが可能になり、それにより図８（ｃ）に示すように保護キャップ３とバイオセンサ４を一緒に取り外すことが出来る。スタッフはこれら保護キャップ３とバイオセンサ４をそのまま廃棄ＢＯＸなどへ廃棄すればよい。
【００５５】
このように、取り外されたバイオセンサ４の血液を点着した先端側が保護キャップ３に覆われているので、被測定者及びスタッフが、取り外したバイオセンサ４に付着した血液に触れることが無く、廃棄することが出来る。
【００５６】
以上のように、本実施の形態の生体情報測定装置によれば、センサ装着部を有する本体と、この本体の前記センサ装着部と、少なくとも前記センサ装着部が設けられた面の前記本体の壁面全体とを着脱自在に覆った保護キャップとを備え、この保護キャップは、バイオセンサを前記センサ装着部に挿入させるセンサ挿入口と、このセンサ挿入口に挿入された前記バイオセンサを前記センサ装着部の方向へ案内する壁部とを有するようにしたので、被測定者の体液が付着し得る範囲を保護キャップで覆い、この保護キャップを交換することで他の被測定者に体液が付着しないように出来る。
【００５７】
さらに保護キャップは、センサ挿入口に挿入された状態のバイオセンサを保持可能なセンサ保持部を有するようにしたので、保護キャップを交換する時にセンサ保持部でバイオセンサを保持して一緒に取り外すことが出来るため、センサ保持部とバイオセンサを別々に取り外すよりも作業効率を高めることも出来る。
【００５８】
とりわけ、バイオセンサの血液が付着したところをセンサ保持部で覆って取り外すため、周囲への付着防止への気配りを緩めることが出来て、作業効率は向上する。
【産業上の利用可能性】
【００５９】
本発明にかかる生体情報測定装置は、センサ装着部を有する本体と、この本体の前記センサ装着部と、少なくとも前記センサ装着部が設けられた面の前記本体の壁面全体とを着脱自在に覆った保護キャップとを備え、この保護キャップは、バイオセンサを前記センサ装着部に挿入させるセンサ挿入口と、このセンサ挿入口に挿入された前記バイオセンサを前記センサ装着部の方向へ案内する壁部とを有するようにしたので、被測定者の体液が他の被測定者に付着することが無く、多人数を測定する装置等として有用である。
【符号の説明】
【００６０】
１  センサ装着部
２  本体
３  保護キャップ
４  バイオセンサ
５  センサ挿入口
６  センサ保持部
７  入力部
８  表示部
９  パッド
１０ａ、１０ｂ  切り欠き
１１ａ、１１ｂ  係合凹部
１２ａ、１２ｂ  係合凸部
１３  グリップ
１４  壁部
１５  血液
１６  ガイド部
【図１】
2011141269.tif 000003
【図２】
2011141269.tif 000004
【図３】
2011141269.tif 000005
【図４】
2011141269.tif 000006
【図５】
2011141269.tif 000007
【図６】
2011141269.tif 000008
【図７】
2011141269.tif 000009
【図８】
2011141269.tif 000010